【手続補正書】
【提出日】平成22年4月6日(2010.4.6)
【手続補正１】
【補正対象書類名】特許請求の範囲
【補正対象項目名】全文
【補正方法】変更
【補正の内容】
【特許請求の範囲】
【請求項１】
特定の波長を含む赤外線を吸収する赤外線吸収物質が添加されたインクが充填されたインクカートリッジであって、
前記インクが貯留される貯留部と、
前記インクを印刷装置へ供給する供給口と、
前記インクを前記貯留部から前記供給口へ導く流路と、
前記特定の波長を含む第１の赤外線を含む発光光を前記流路に向けて発する発光部と、
前記流路を透過する赤外線である第２の赤外線を受光する受光部を含むセンサと、
を備えたことを特徴とするインクカートリッジ。
【請求項２】
赤外線を吸収する機能を有する赤外線吸収物質を添加したインクが充填され、印刷を行う印刷装置に装填された装填状態で用いられるインクカートリッジであって、
前記インクが貯留される貯留部と、前記装填状態で前記インクを前記印刷装置へ供給する供給口と、前記貯留部から前記供給口へ前記インクを導く流路とを有する少なくとも１つのインク供給系と、
発光部と、
前記発光部に前記インク供給系を介して対向して配置され、前記発光部からの発光光が前記インク供給系を透過することより得られた透過光を受光する受光部とを有するセンサと、
前記センサに電気的に接続され、前記装填状態で前記印刷装置に設けられた装置側端子と接触するインクカートリッジ側端子とを備え、
前記発光光は赤外領域の波長を有する光を含むことを特徴とするインクカートリッジ。
【請求項３】
前記発光部と前記受光部とは、前記流路の一部を介して対向配置されている請求項１または２に記載のインクカートリッジ。
【請求項４】
前記発光光の光路は、前記流路の長手方向に沿うものである請求項１ないし３のいずれかに記載のインクカートリッジ。
【請求項５】
前記流路は、その途中で少なくとも１回屈曲している請求項１ないし４のいずれかに記載のインクカートリッジ。
【請求項６】
前記供給口は、前記装填状態で、下方に向かって開口したものであり、
前記流路は、前記装填状態で、前記貯留部の底部付近からほぼ水平方向に延びる第１の水平路と、該第１の水平路の端部からほぼ鉛直上方に延びる第１の垂直路と、該第１の垂直路の上端部からほぼ水平方向に延びる第２の水平路と、該第２の水平路の端部からほぼ鉛直下方に延びて前記供給口に達する第２の垂直路とを有する請求項２ないし５のいずれかに記載のインクカートリッジ。
【請求項７】
前記発光部と前記受光部とは、前記第２の水平路を介してその長手方向に対向配置されている請求項６に記載のインクカートリッジ。
【請求項８】
前記発光光のピーク波長は、７５０〜１５００ｎｍである請求項１ないし７のいずれかに記載のインクカートリッジ。
【請求項９】
前記赤外線吸収物質は、フタロシアニン系色素、ナフタロシアニン系色素およびアントラキノン系色素のうちの少なくとも１種を主材料とするものである請求項１ないし８のいずれかに記載のインクカートリッジ。
【請求項１０】
請求項１ないし９のいずれかに記載のインクカートリッジを装填して印刷を行う印刷装置であって、
前記インクカートリッジを装填する装填部と、
前記インクカートリッジから供給された前記インクを吐出するヘッドと、
前記ヘッドから前記インクを吐出する動作を制御する制御手段と、
を備え、
前記制御手段は、前記インクカートリッジの前記センサからの情報に基づいて前記インクが適当か不適当か判断し、前記不適当の場合に印刷動作を禁止することを特徴とする印刷装置。
【請求項１１】
請求項２に記載のインクカートリッジを装填した装填状態で印刷を行う印刷装置であって、
前記インクカートリッジが装填され、前記装填状態で前記インクカートリッジ側端子と接触する装置側端子を有する装填部と、
前記装填状態の前記インクカートリッジから供給された前記インクを液滴として吐出する液滴吐出ヘッドと、
前記装置側端子に電気的に接続され、前記液滴吐出ヘッドの液滴吐出動作を制御する機能を有する制御手段とを備え、
前記制御手段は、前記インクカートリッジの前記センサからの情報に基づいて、前記インクカートリッジ内の前記インクの使用の適否を判断し、該インクの使用が不適当と判断した場合には、印刷動作を禁止するよう構成されていることを特徴とする印刷装置。
【請求項１２】
特定の波長を含む赤外線を吸収する赤外線吸収物質が添加されたインクを吐出する印刷装置であって、
前記特定の波長を含む第１の赤外線を含む発光光をインクカートリッジの内部の前記インクの流路に向けて発する発光部と、
前記流路を透過する赤外線である第２の赤外線を受光する受光部を含むセンサと、
前記インクカートリッジから供給された前記インクを吐出するヘッドと、
前記ヘッドから前記インクを吐出する動作を制御する制御手段と、
を備え、
前記制御手段は、前記センサからの情報に基づいて前記インクが適当か不適当か判断し、前記不適当の場合に印刷動作を禁止することを特徴とする印刷装置。
【請求項１３】
赤外線を吸収する機能を有する赤外線吸収物質を含有したインクが充填され、該インクが通過する流路を有するインクカートリッジを装填した装填状態で印刷を行う印刷装置であって、
前記インクカートリッジが装填され、前記装填状態で前記インクカートリッジ側端子と接触する装置側端子を有する装填部と、
発光部と、
該発光部に前記流路を介して対向して配置され、前記発光部からの発光光が前記流路を透過することにより得られた透過光を受光する受光部とを有するセンサと、
前記装填状態の前記インクカートリッジから供給された前記インクを液滴として吐出する液滴吐出ヘッドと、
前記装置側端子に電気的に接続され、前記液滴吐出ヘッドの液滴吐出動作を制御する機能を有する制御手段とを備え、
前記発光光は赤外領域の波長を有する光を含み、
前記制御手段は、前記センサからの情報に基づいて、前記インクカートリッジ内の前記インクの使用の適否を判断し、該インクの使用が不適当と判断した場合には、印刷動作を禁止するよう構成されていることを特徴とする印刷装置。
【請求項１４】
前記制御手段において、前記インクカートリッジ内の前記インクの使用の適否の判断は、前記受光部で受光された前記透過光の光量に応じて行われる請求項１１または１３に記載の印刷装置。
【請求項１５】
前記制御手段は、前記光量が予め設定した所定値以上の場合には、前記印刷動作を禁止するよう制御する請求項１４に記載の印刷装置。
【請求項１６】
前記制御手段は、前記光量が前記所定値未満の場合には、前記印刷動作を実行するよう制御する請求項１４または１５に記載の印刷装置。
【請求項１７】
前記制御手段は、前記光量が前記所定値に達した場合には、印字ドット数をカウントする請求項１６に記載の印刷装置。
【請求項１８】
前記制御手段は、前記カウントされた印字ドット数が、予め設定された所定ドット数に達した場合には、前記印刷動作を停止するよう制御する請求項１７に記載の印刷装置。
【請求項１９】
前記印刷動作が禁止または停止した場合に、前記インクカートリッジの交換を報知する機能を有する報知手段をさらに備える請求項１０ないし１８のいずれかに記載の印刷装置。
【請求項２０】
前記発光光の極大波長は、７５０〜１５００ｎｍである請求項１２ないし１９のいずれかに記載の印刷装置。
【請求項２１】
前記赤外線吸収物質は、フタロシアニン系色素、ナフタロシアニン系色素およびアントラキノン系色素のうちの少なくとも１種を主材料とするものである請求項１２ないし２０のいずれかに記載の印刷装置。
【手続補正２】
【補正対象書類名】明細書
【補正対象項目名】０００６
【補正方法】変更
【補正の内容】
【０００６】
下記のような本発明に係る態様は、上記の目的を達成するのに効果を奏する。
本発明のインクカートリッジは、特定の波長を含む赤外線を吸収する赤外線吸収物質が添加されたインクが充填されたインクカートリッジであって、
前記インクが貯留される貯留部と、
前記インクを印刷装置へ供給する供給口と、
前記インクを前記貯留部から前記供給口へ導く流路と、
前記特定の波長を含む第１の赤外線を含む発光光を前記流路に向けて発する発光部と、
前記流路を透過する赤外線である第２の赤外線を受光する受光部を含むセンサと、
を備えたことを特徴とする。
本発明のインクカートリッジは、赤外線を吸収する機能を有する赤外線吸収物質を添加したインクが充填され、印刷を行う印刷装置に装填された装填状態で用いられるインクカートリッジであって、
前記インクが貯留される貯留部と、前記装填状態で前記インクを前記印刷装置へ供給する供給口と、前記貯留部から前記供給口へ前記インクを導く流路とを有する少なくとも１つのインク供給系と、
発光部と、
前記発光部に前記インク供給系を介して対向して配置され、前記発光部からの発光光が前記インク供給系を透過することより得られた透過光を受光する受光部とを有するセンサと、
前記センサに電気的に接続され、前記装填状態で前記印刷装置に設けられた装置側端子と接触するインクカートリッジ側端子とを備え、
前記発光光は赤外領域の波長を有する光を含むことを特徴とする。
これにより、例えば、インクの状態での目視では識別の困難なインクを必要な物性に応じて特定することが可能となる。使用済のインクカートリッジに当該インクカートリッジに不適当な偽インクを注入して、前記使用済のインクカートリッジが再度利用されるのを防止することができる。
【手続補正３】
【補正対象書類名】明細書
【補正対象項目名】０００８
【補正方法】変更
【補正の内容】
【０００８】
本発明に係るインクカートリッジでは、前記発光光の光路は、前記流路の長手方向に沿うものであることが好ましい。
これにより、流路にインクが存在する場合には、当該インクに配合された赤外線吸収物質によって赤外線が確実に吸収され、受光部で受光される赤外線の光量がより確実に減少したものとなる。
本発明に係るインクカートリッジでは、前記流路は、その途中で少なくとも１回屈曲していることが好ましい。
これにより、インクカートリッジ内のインクを使いきる（使い果たす）ことができる。
【手続補正４】
【補正対象書類名】明細書
【補正対象項目名】００１２
【補正方法】変更
【補正の内容】
【００１２】
本発明に係る印刷装置は、本発明のインクカートリッジを装填して印刷を行う印刷装置であって、
前記インクカートリッジを装填する装填部と、
前記インクカートリッジから供給された前記インクを吐出するヘッドと、
前記ヘッドから前記インクを吐出する動作を制御する制御手段と、
を備え、
前記制御手段は、前記インクカートリッジの前記センサからの情報に基づいて前記インクが適当か不適当か判断し、前記不適当の場合に印刷動作を禁止することを特徴とする。
本発明に係る印刷装置は、本発明に係るインクカートリッジを装填した装填状態で印刷を行う印刷装置であって、
前記インクカートリッジが装填され、前記装填状態で前記インクカートリッジ側端子と接触する装置側端子を有する装填部と、
前記装填状態の前記インクカートリッジから供給された前記インクを液滴として吐出する液滴吐出ヘッドと、
前記装置側端子に電気的に接続され、前記液滴吐出ヘッドの液滴吐出動作を制御する機能を有する制御手段とを備え、
前記制御手段は、前記インクカートリッジの前記センサからの情報に基づいて、前記インクカートリッジ内の前記インクの使用の適否を判断し、該インクの使用が不適当と判断した場合には、印刷動作を禁止するよう構成されていることを特徴とする。
これにより、例えば、インクの状態での目視では識別の困難なインクを必要な物性に応じて特定することが可能となる。あるいは、使用済のインクカートリッジに当該インクカートリッジに不適当な偽インクを注入して、前記使用済のインクカートリッジが再度利用されるのを防止することができる。
【手続補正５】
【補正対象書類名】明細書
【補正対象項目名】００１３
【補正方法】変更
【補正の内容】
【００１３】
本発明に係る印刷装置は、特定の波長を含む赤外線を吸収する赤外線吸収物質が添加されたインクを吐出する印刷装置であって、
前記特定の波長を含む第１の赤外線を含む発光光をインクカートリッジの内部の前記インクの流路に向けて発する発光部と、
前記流路を透過する赤外線である第２の赤外線を受光する受光部を含むセンサと、
前記インクカートリッジから供給された前記インクを吐出するヘッドと、
前記ヘッドから前記インクを吐出する動作を制御する制御手段と、
を備え、
前記制御手段は、前記センサからの情報に基づいて前記インクが適当か不適当か判断し、前記不適当の場合に印刷動作を禁止することを特徴とする。
本発明に係る印刷装置は、赤外線を吸収する機能を有する赤外線吸収物質を含有したインクが充填され、該インクが通過する流路を有するインクカートリッジを装填した装填状態で印刷を行う印刷装置であって、
前記インクカートリッジが装填され、前記装填状態で前記インクカートリッジ側端子と接触する装置側端子を有する装填部と、
発光部と、
該発光部に前記流路を介して対向して配置され、前記発光部からの発光光が前記流路を透過することにより得られた透過光を受光する受光部とを有するセンサと、
前記装填状態の前記インクカートリッジから供給された前記インクを液滴として吐出する液滴吐出ヘッドと、
前記装置側端子に電気的に接続され、前記液滴吐出ヘッドの液滴吐出動作を制御する機能を有する制御手段とを備え、
前記発光光は赤外領域の波長を有する光を含み、
前記制御手段は、前記センサからの情報に基づいて、前記インクカートリッジ内の前記インクの使用の適否を判断し、該インクの使用が不適当と判断した場合には、印刷動作を禁止するよう構成されていることを特徴とする。
これにより、使用済のインクカートリッジに当該インクカートリッジに不適当な偽インクを注入して、前記使用済のインクカートリッジが再度利用されるのを防止することができる。